(57)【要約】【課題】活性酸素種の濃度を制御することで、所望の湿度を維持しながら、室内の浄化を適切に行うことができる電解水散布装置を提供すること。【解決手段】電解水散布装置は、電解水生成部と、散布部と、湿度検出手段と、制御部とを備える。制御部は、電解水生成部を制御するものであり、浄化能力決定部と、生成制御部とを備える。生成制御部は、電解部への電気分解のための通電を行う通電時間とその通電停止後の非通電時間とを一周期とし、その一周期を複数回繰り返すことで電解水の生成を制御する。浄化能力決定部は、湿度検出手段の値に基づいて、通電時間、非通電時間、及び通電時間における電流量の内少なくとも一つと駆動部を利用して気液接触量を決定する。【選択図】図６
2020048855.tif 000002
【特許請求の範囲】
【請求項１】
電解水を生成する電解水生成部と、
筐体内に前記電解水生成部が生成した電解水を吸気口から吸い込んだ空気に接触させて吹出口から散布する散布部と、
前記電解水生成部と前記散布部とを制御する制御部と、
室内空気の湿度を検出する湿度検出手段と、を備えた電解水散布装置であって、
前記電解水生成部は、水を貯めるための貯水部と、前記貯水部内の水を電気分解して電解水を生成する電解部と、を有し、
前記散布部は、フィルター部と、送風部と、を有し、
前記フィルター部は、前記貯水部内の電解水に浸漬させて保水し前記吸気口から流入した空気に接触し、
前記送風部は、前記フィルター部に接触した空気を前記吹出口に導き、
前記制御部は、生成制御部と、浄化能力決定部と、を有し、
前記電解水生成部への電気分解のための通電を行う通電時間と通電停止後の非通電時間とを一周期とし、
前記湿度検出手段が検出した室内空気の湿度を検出湿度とし、
前記通電時間において前記電解部に流れる電流量を電極電流量とし、
単位時間当たりに前記フィルター部の電解水に接触する空気の量を気液接触量とすると、
前記生成制御部は、前記一周期を複数回繰り返すことで前記電解水の生成を制御し、
前記浄化能力決定部は、前記湿度検出手段の検出湿度値に基づいて、前記通電時間、前記非通電時間、および前記電極電流量の少なくとも一つを決定し、
前記浄化能力決定部は、前記検出湿度値に基づいて、前記気液接触量を決定する電解水散布装置。
【請求項２】
前記フィルター部は、気液接触フィルター部と、前記気液接触フィルター部を駆動する駆動部と、を有し、
前記一周期において、前記浄化能力決定部は、前記駆動部が動作する動作時間と、前記駆動部が停止する停止時間を変更することにより前記気液接触量を変更する請求項１記載の電解水散布装置。
【請求項３】
前記浄化能力決定部は、前記検出湿度が所定湿度以上の場合、前記通電時間、前記非通電時間、および前記電極電流量の少なくとも一つを浄化能力が大きくなるように増減し、前記駆動部が停止する停止時間を長くする請求項２に記載の電解水散布装置。
【請求項４】
前記一周期は、ＯＮ／ＯＦＦ制御期間と、常時ＯＮ期間とを有し、
前記ＯＮ／ＯＦＦ制御期間は、前記駆動部の動作と停止を繰り返す期間であり、
前記常時ＯＮ期間は、前記駆動部が動作し続ける期間であり、
前記一周期において、前記浄化能力決定部は、電解水の濃度が所定濃度以上の場合は、前記ＯＮ／ＯＦＦ制御期間となるように前記駆動部を制御し、電解水の濃度が所定濃度未満の場合は、前記常時ＯＮ期間となるように前記駆動部を制御する請求項１〜３いずれかに記載の電解水散布装置。
【請求項５】
前記浄化能力決定部は、前記検出湿度が第１所定湿度未満の場合、電解水の濃度にかかわらず、前記一周期の全期間が前記常時ＯＮ期間となるように前記駆動部を制御する請求項４記載の電解水散布装置。
【請求項６】
第２所定湿度＞第１所定湿度とし、
前記検出湿度が第１所定湿度以上且つ第２所定湿度未満の場合において、前記ＯＮ／ＯＦＦ制御期間における前記駆動部の停止の期間を第１停止期間とし、
前記検出湿度が第２所定湿度以上の場合において、前記ＯＮ／ＯＦＦ制御期間における前記駆動部の停止の期間を第２停止期間とすると、
前記浄化能力決定部は、前記第１停止期間よりも前記第２停止期間を長くする請求項４または５記載の電解水散布装置。
【請求項７】
前記浄化能力決定部は、前記送風部による風量が所定風量未満の場合は、電解水の濃度にかかわらず、前記一周期の全期間が前記常時ＯＮ期間となるように前記駆動部を制御する請求項４〜６いずれかに記載の電解水散布装置。
【発明の詳細な説明】
【技術分野】
【０００１】
本発明は、電解水を生成して散布する電解水散布装置に関する。
【背景技術】
【０００２】
空気中の細菌、真菌、ウイルス、臭い等の除去を行うために、電気分解により次亜塩素酸を含む電解水を生成して散布する電解水散布装置が知られている。
【０００３】
従来のこの種の電解水散布装置の構造は、以下のようになっていた。即ち、水を電気分解して電解水を生成させ、この電解水をフィルター部に共有し、空気と電解水を接触させ、空気中の細菌、ウイルス、臭い等の除去を図る構成となっていた（例えば特許文献１）。
【先行技術文献】
【特許文献】
【０００４】
【特許文献１】特開２０１２−０５２６９９号公報
【発明の概要】
【発明が解決しようとする課題】
【０００５】
しかしながら、この種の活性酸素種を含む電解水を室内空気に接触させて、細菌、ウイルス、臭い等の除去を行う電解水散布装置においては、空気中に散布される活性酸素種の濃度の増加を図る場合、加湿量を増加させる必要があった。したがって、従来の電解水散布装置は、活性酸素種濃度の増加を図る為、所望の加湿量を超えて加湿する必要があり、過加湿の状態が生じるという課題があった。また、加湿量を抑制するために風量を低下することも考えられるが、その場合、電解水散布装置による浄化速度が遅くなる可能性があった。
【０００６】
本発明は、上記課題を解決するためになされたものであり、加湿量を増加させることなく、活性酸素種の濃度を増加させることができる電解水散布装置を提供することを目的とする。
【課題を解決するための手段】
【０００７】
この目的を達成するために、本発明の電解水散布装置は、以下を特徴とするものである。即ち、本発明の電解散布装置は、電解水生成部と、散布部と、制御部と、湿度検出手段とを備える。電解水生成部は、水を貯めるための貯水部と前記貯水部内の水を電気分解して電解水を生成する電解部とを有する。散布部は、電解水を散布するものであり、フィルター部と送風部とを有する。前記フィルター部は、前記貯水部内の電解水に浸漬させて保水し前記吸気口から流入した空気に接触し、前記送風部は、前記フィルター部に接触した空気を前記吹出口に導く。
【０００８】
前記制御部は、前記電解水生成部と前記散布部を制御するものであり、生成制御部と、浄化能力決定部とを備える。
【０００９】
前記電解水生成部への電気分解のための通電を行う通電時間と通電停止後の非通電時間とを一周期とし、前記湿度検出手段が検出した室内空気の湿度を検出湿度とし、前記通電時間において前記電解部に流れる電流量を電極電流量とし、単位時間当たりに前記フィルター部の電解水に接触する空気の量を気液接触量とすると、前記生成制御部は、前記一周期を複数回繰り返すことで前記電解水の生成を制御し、前記浄化能力決定部は、前記湿度検出手段の検出湿度値に基づいて、前記通電時間、前記非通電時間、および前記電極電流量の少なくとも一つを決定し、前記浄化能力決定部は、前記検出湿度値に基づいて、前記気液接触量を決定する。
【発明の効果】
【００１０】
本発明の電解水散布装置によれば、電極への電気分解のための通電を行う通電時間と、前記通電停止後の非通電時間と、前記通電時間における電極電流量と、気液接触量が、湿度検出手段の値に基づいて決定される。これにより、活性酸素種の濃度を制御することで、所望の湿度を維持しながら、室内の浄化を適切に行うという効果を得ることができる。
【図面の簡単な説明】
【００１１】
【図１】本発明の第１実施形態に係る電解水散布装置の斜視図である。
【図２】同電解水散布装置の斜視図である。
【図３】同電解水散布装置の断面図である。
【図４】同電解水散布装置の断面図である。
【図５】同電解水散布装置の断面図である。
【図６】同電解水散布装置の機能ブロック図である。
【図７】湿度と駆動部の停止時間と浄化能力レベルとの関係を示すチャートである。
【図８】（ａ）は、浄化能力レベルと電極電流量との関係を示すチャートである。（ｂ）は、浄化能力レベルと通電時間との関係示すチャートである。（ｃ）は、浄化能力レベルと非通電時間との関係を示すチャートである。（ｄ）は、浄化能力レベルと電解水生成条件との関係を示すチャートである。
【図９】（ａ）は、電解部への通電時間と非通電時間と通電周期との関係を示すグラフである。（ｂ）は、時間変化と電解水濃度との関係を示すグラフである。（ｃ）は、駆動部のＯＮ／ＯＦＦ駆動期間と常時ＯＮ期間との関係を示すグラフである。
【図１０】湿度と駆動部の動作と浄化能力との関係を示したチャートである。
【発明を実施するための形態】
【００１２】
本発明に係る電解水散布装置は、電解水を生成する電解水生成部と、筐体内に前記電解水生成部が生成した電解水を吸気口から吸い込んだ空気に接触させて吹出口から散布する散布部と、前記電解水生成部と前記散布部とを制御する制御部と、室内空気の湿度を検出する湿度検出手段と、を備えた電解水散布装置であって、前記電解水生成部は、水を貯めるための貯水部と、前記貯水部内の水を電気分解して電解水を生成する電解部と、を有し、前記散布部は、フィルター部と、送風部と、を有し、前記フィルター部は、前記貯水部内の電解水に浸漬させて保水し前記吸気口から流入した空気に接触し、前記送風部は、前記フィルター部に接触した空気を前記吹出口に導き、前記制御部は、生成制御部と、浄化能力決定部と、を有し、前記電解水生成部への電気分解のための通電を行う通電時間と通電停止後の非通電時間とを一周期とし、前記湿度検出手段が検出した室内空気の湿度を検出湿度とし、前記通電時間において前記電解部に流れる電流量を電極電流量とし、単位時間当たりに前記フィルター部の電解水に接触する空気の量を気液接触量とすると、前記生成制御部は、前記一周期を複数回繰り返すことで前記電解水の生成を制御し、前記浄化能力決定部は、前記湿度検出手段の検出湿度値に基づいて、前記通電時間、前記非通電時間、および前記電極電流量の少なくとも一つを決定し、前記浄化能力決定部は、前記検出湿度値に基づいて、前記気液接触量を決定する。
【００１３】
これにより、電極への電気分解のための通電を行う通電時間と、前記通電停止後の非通電時間と、前記通電時間における電極電流量と、気液接触量が、湿度検出手段の値に基づいて決定される。よって、活性酸素種の濃度を制御することで、所望の湿度を維持しながら、室内の浄化を適切に行うことができる。
【００１４】
また、前記フィルター部は、気液接触フィルター部と、前記気液接触フィルター部を駆動する駆動部と、を有し、前記一周期において、前記浄化能力決定部は、前記駆動部が動作する動作時間と、前記駆動部が停止する停止時間を変更することにより前記気液接触量を変更するという構成にしてもよい。
【００１５】
これにより、貯水部内の活性酸素種の濃度変化に応じて、気液接触量を変更することになり、所望の湿度を維持しながら、室内の浄化を適切に行うことができる。
【００１６】
また、前記浄化能力決定部は、前記検出湿度が所定湿度以上の場合、前記通電時間、前記非通電時間、および前記電極電流量の少なくとも一つを浄化能力が大きくなるように増減し、前記駆動部が停止する停止時間を長くするという構成にしてもよい。
【００１７】
これにより、湿度が高い場合に、活性酸素種の濃度を制御しながら、気液接触量を低減することになり、所望の湿度を維持しながら、室内の浄化を適切に行うことができる。
【００１８】
また、前記一周期は、ＯＮ／ＯＦＦ制御期間と、常時ＯＮ期間とを有し、前記ＯＮ／ＯＦＦ制御期間は、前記駆動部の動作と停止を繰り返す期間であり、前記常時ＯＮ期間は、前記駆動部が動作し続ける期間であり、前記一周期において、前記浄化能力決定部は、電解水の濃度が所定濃度以上の場合は、前記ＯＮ／ＯＦＦ制御期間となるように前記駆動部を制御し、電解水の濃度が所定濃度未満の場合は、前記常時ＯＮ期間となるように前記駆動部を制御するという構成にしてもよい。電解水の濃度とは電解水中の活性酸素種の濃度のこである。
【００１９】
これにより、貯水部内の前記周期での活性酸素種の濃度変化に応じて、気液接触量を変更することになり、所望の湿度を維持しながら、室内の浄化を適切に行うことができる。
【００２０】
また、前記浄化能力決定部は、前記検出湿度が第１所定湿度未満の場合、電解水の濃度にかかわらず、前記一周期の全期間が前記常時ＯＮ期間となるように前記駆動部を制御するという構成にしてもよい。
【００２１】
これにより、室内の湿度が過剰でない場合、前記駆動部が常時ＯＮすることとなり、安定的に室内を浄化できる。
【００２２】
また、第２所定湿度＞第１所定湿度とし、前記検出湿度が第１所定湿度以上且つ第２所定湿度未満の場合において、前記ＯＮ／ＯＦＦ制御期間における前記駆動部の停止の期間を第１停止期間とし、前記検出湿度が第２所定湿度以上の場合において、前記ＯＮ／ＯＦＦ制御期間における前記駆動部の停止の期間を第２停止期間とすると、前記浄化能力決定部は、前記第１停止期間よりも前記第２停止期間を長くするという構成にしてもよい。
【００２３】
これにより、湿度が高いほど、浄化能力を上げつつ、気液接触量を下げることになり、加湿量を増加させることなく、活性酸素種の濃度を増加させる。よって、所望の湿度を維持しながら、室内の浄化を適切に行うことができる。
【００２４】
また、前記浄化能力決定部は、前記送風部による風量が所定風量未満の場合は、電解水の濃度にかかわらず、前記一周期の全期間が前記常時ＯＮ期間となるように前記駆動部を制御するという構成にしてもよい。
【００２５】
これにより、気液接触量の小さい風量の時は、前記駆動部は常時ＯＮとなり、安定的に室内を浄化できる。
【００２６】
以下、本発明の実施の形態に係る電解水散布装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。
【００２７】
以下、本発明を実施するための形態について添付図面を参照して説明する。
【００２８】
（第１実施形態）
まず、図１〜８を参照して、本発明の第１実施形態である電解水散布装置Ｄについて説明する。図１は、電解水散布装置Ｄの斜視図であり、電解水散布装置Ｄを前面側から見た図である。図２は、電解水散布装置Ｄの斜視図であり、図１のパネル３を開いた状態で電解水散布装置Ｄを前面側から見た図である。
【００２９】
図１、２に示す通り、電解水散布装置Ｄは、略箱形状の本体ケース１を備え、本体ケース１の両側面には略四角形状の吸気口２を有している。本体ケース１の天面には、開閉式の吹出口６が設けられている。図１、２では、吹出口６は閉じた状態である。
【００３０】
本体ケース１の前面側から見て、右側の側面（本体ケース１の一方側の側面）である第１の本体側面１Ａには、開閉可能なパネル３が設けられている。本体ケース１の一方側の側面の吸気口２は、パネル３に設けられている。パネル３を開くと、縦長四角形状の開口４が現れる。開口４から、後述する貯水部１４、タンク部材１５、錠剤投入ケース１８ａ等が取り出し可能に構成されている。
【００３１】
図３は、電解水散布装置Ｄの正面視中央部分を縦方向に切った断面図であり、電解水散布装置Ｄを右側から見た図である。図４は、電解水散布装置Ｄの正面視右側を縦方向に切った断面図であり、電解水散布装置Ｄにおける右側から見た図である。図５は、電解水散布装置Ｄを正面視を横方向に切った断面図である。
【００３２】
図２、図３、図４、図５に示すように、本体ケース１内には、電解水生成部５と、タンク部材１５と、散布部１９と、風路８とを備えている。電解水生成部５は、貯水部１４と、電解部１７と、電解促進錠剤投入部１８と、投入制御部４１（図６参照）とを備えている。
【００３３】
貯水部１４は、天面を開口した箱形状しており、水を貯水できる構造となっている。貯水部１４は、本体ケース１の下部に配置され、本体ケース１から水平方向にスライドして着脱可能となっており、開口４から取り出すことができる。貯水部１４は、タンク部材１５から供給される水を貯水する。
【００３４】
電解部１７は、電極部材（図示せず）を備えており、この電極部材が貯水部１４内の水に浸かるように設置される。電解部１７は、この電極部材に通電することにより、貯水部１４内の塩化物イオンを含む水を電気化学的に電気分解し、活性酸素種を含む電解水を生成させる。ここで、活性酸素種とは、通常の酸素よりも高い酸化活性を持つ酸素分子と、その関連物質のことである。例えば、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含む。
【００３５】
電解部１７は、電極部材への電気分解するための通電を行う通電時間と、その通電停止後の時間、つまり通電を行っていない時間である非通電時間を一周期として、その一周期を複数回繰り返すことで、電解水を生成する。非通電時間に対して通電時間を長くすれば、一周期当たりにおいてより多くの量の活性酸素種を含む電解水が生成される。また通電時間に対して非通電時間を長くすれば、一周期当たりの活性酸素種の生成が抑えられる。さらに、通電時間における電極電流量を大きくすれば、より多くの量の活性酸素種を含む電解水が生成される。
【００３６】
電解促進錠剤投入部１８は、錠剤投入ケース１８ａと、錠剤投入ケース１８ａ内に設けた錠剤投入部材（図示せず）と、錠剤投入ケース１８ａの上部に着脱自在に設けられた錠剤投入カバー１８ｂとを備えている。錠剤投入ケース１８ａは、開口４から取り出し可能に構成される。ユーザは、取り出した錠剤投入ケース１８ａから錠剤投入カバー１８ｂを外すことで、ユーザが錠剤投入ケース１８ａ内に電解促進錠剤を装填できる。
【００３７】
錠剤投入部材が回動すると、電解促進錠剤が錠剤投入ケース１８ａの底面の落下開口（図示せず）より貯水部１４に落下する。この電解促進錠剤が貯水部１４内の水に溶け込むことにより、貯水部１４の水が塩化物イオンを含む水となる。なお、電解促進錠剤の一例は、塩化ナトリウムである。
【００３８】
投入制御部４１は、例えば錠剤投入ケース１８ａの底面の落下開口付近に設けられ、電解促進錠剤投入部１８による電解促進錠剤の投入を制御する。後述する制御部３０より電解促進錠剤の投入指示があると、投入制御部４１は電解促進錠剤投入部１８に設けられた錠剤投入部材の回動を開始する。そして、投入制御部４１は、錠剤投入ケース１８ａから貯水部１４に落下された電解促進錠剤の有無を判断し、錠剤投入ケース１８ａから貯水部１４に電解促進錠剤が落下したと判断すると、錠剤投入部材の回動を停止する。
【００３９】
なお、電解水散布装置Ｄは、電解促進錠剤投入部１８及び投入制御部４１を有していなくてもよい。この場合は、電解水散布装置Ｄが、ユーザに対して電解促進錠剤の投入を指示する報知を表示や発音によって行い、ユーザに電解促進錠剤を直接、貯水部１４へ投入させるようにしてもよい。
【００４０】
タンク部材１５は、本体ケース１内部の正面視右側の側面に設置され、貯水部１４から着脱可能な構造となっており、開口４から取り出すことができる。タンク部材１５は、貯水部１４の底面に設けられたタンク保持部１４ａに装着されている。タンク部材１５は、水を貯水するタンク１５ａと、タンク１５ａの開口（図示せず）に設けられた蓋１５ｂとを備えている。蓋１５ｂの中央には、開閉部（図示せず）が設けられており、この開閉部が開くと、タンク１５ａ内の水が、貯水部１４へ供給される。
【００４１】
具体的には、タンク１５ａの開口を下向きにして、タンク部材１５を貯水部１４のタンク保持部１４ａに取り付けると、タンク保持部１４ａによって開閉部が開く。つまり、タンク部材１５に水を入れてタンク保持部１４ａに取り付けると、開閉部が開いて貯水部１４に給水され、貯水部１４内に水が溜まる。貯水部１４内の水位が上昇して蓋１５ｂのところまで到達するとタンク部材１５の開口が水封されるので給水が停止し、タンク部材１５の内部には水が残り、貯水部１４内の水位が下がった場合に都度、タンク１５ａ内部の水が貯水部１４に給水される。即ち、貯水部１４内の水位は一定に保たれる。
【００４２】
なお、電解水散布装置Ｄは、タンク部材１５を有していなくてもよい。この場合は、電解水散布装置Ｄに対して、水を供給するラインを水道水よりひき、貯水部１４内の水位が下がった場合に、貯水部１４内の水位が所定位置に上昇するまで、水道水を供給するようにしてもよい。
【００４３】
散布部１９は、送風部７と、フィルター部１６とを備える。送風部７は、本体ケース１の中央部に設けられ、モータ部９と、モータ部９により回転するファン部１０と、それらを囲むスクロール形状のケーシング部１１とを備えている。モータ部９は、ケーシング部１１に固定されている。
【００４４】
ファン部１０は、シロッコファンであり、モータ部９から水平方向に延びた回転軸９ａに固定され、モータ部９は、ケーシング部１１に固定されている。モータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。
【００４５】
フィルター部１６は、貯水部１４に貯水された電解水と、送風部７によって本体ケース１内に流入した室内空気とを接触させる部材である。フィルター部１６は、円筒状に構成され、円周部分に空気が流通可能な孔を備えた気液接触フィルター部１６ａを配置し、その一端が貯水部１４の水に浸漬され、保水されるように、気液接触フィルター部１６ａの中心軸を回転中心として貯水部１４に回転自在に内蔵されている。そして、気液接触フィルター部１６ａは、駆動部１６ｂにより回転され、電解水と室内空気を連続的に接触させる構造となっている。単位時間当たりに気液接触フィルター部１６ａの電解水に接触している空気の量を気液接触量とすると、気液接触量が多いほど浄化能力が高くなる。詳細は後述するが、電解水散布装置Ｄは、この気液接触量と、電極部材への前記通電時間と、前記非通電時間と、前記通電時間における電極電流量とを、湿度検出手段５１の検出値に基づいて決定する。これにより、活性酸素種の濃度を制御することで、所望の湿度を維持しながら、室内の浄化を適切に行う。
【００４６】
風路８は、吸気口２と吹出口６とを連通し、吸気口２から順に、フィルター部１６、送風部７、吹出口６を備えている。モータ部９によってファン部１０が回転すると、吸気口２から吸い込まれ風路８内に入った外部の空気は、順に、気液接触フィルター部１６ａ、送風部７、吹出口６を介して、電解水散布装置Ｄの外部へ吹き出される。これにより、貯水部１４にて生成された電解水が外部へ散布される。なお、電解水散布装置Ｄは、必ずしも電解水そのものを撒くものでなくてもよく、結果的に生成した電解水由来（揮発を含む）の活性酸素種を散布するものであっても電解水散布に含まれる。
【００４７】
図６は、電解水散布装置Ｄの機能をブロックで示した機能ブロック図である。電解水散布装置Ｄは、電解水生成部５及び散布部１９等、電解水散布装置Ｄ全体を制御する制御部３０を備えている。制御部３０は、例えば、本体ケース１（図１参照）の天面に設けられた操作パネルの裏側に設けられている。電解水散布装置Ｄは、また、湿度検出手段５１を有しており、これは制御部３０と接続される。
【００４８】
湿度検出手段５１は、吹出口６から吹き出される電解水（又は活性酸素種）を含む空気の影響を受けない場所に設けられる。これにより、電解水散布装置Ｄが設置された場所における湿度を正確に把握できる。
【００４９】
制御部３０は、浄化能力決定部５４、生成制御部３４を備えている。
【００５０】
生成制御部３４は、電解部１７における電解水の生成を制御する。具体的には、電解部１７の電極部材への電気分解するための通電を行う通電時間と、その通電停止後の非通電時間を一周期として、その一周期を繰り返すことで、電解部１７において電解水を生成させる。
【００５１】
浄化能力決定部５４は、湿度検出手段５１により取得される湿度を基に、駆動部１６ｂの停止時間を制御することにより、気液接触量を決定するとともに、電解部１７における電解水生成条件を決定する。電解水生成条件とは、電解水を生成する一周期における通電時間及び非通電時間と、その通電時間における電極電流量である。
【００５２】
図７は、湿度と駆動部の停止時間と浄化能力レベルとの関係の一例を示すもので、浄化能力決定部５４において、これを基に電解水散布装置Ｄの駆動部１６ｂの停止時間と浄化能力レベルを決定する。
【００５３】
図７に示す表では、浄化能力レベルをＬＶ１〜ＬＶ３の３段階で示しており、湿度検出手段５１によって、検出された湿度が所定の湿度である５５％よりも高い場合、浄化能力レベルが高くなるように設定する。さらに、電解水散布装置Ｄ内での気液接触量を下げるために、駆動部１６ｂの通電制御をＯＮ／ＯＦＦ制御にしており、湿度が高いほど駆動部１６ｂの停止時間が長くなるように設定される。これにより、湿度が高い場合に、貯水部１４内に生成される活性酸素種の濃度を増加させ、かつ気液接触量を下げることで加湿量を低減する。よって、加湿量の増加を抑制しながら、室内に供給する活性酸素種の濃度を増加させることで浄化能力を向上させることができる。なお、ＯＮ／ＯＦＦ制御とは、駆動部の動作と停止を繰り返す制御のことである。
【００５４】
また、湿度検出手段５１によって、検出された湿度が所定の湿度である５５％よりも少ない場合、過加湿の状態になっていないため、電解水散布装置Ｄ内での気液接触量を下げる必要が無く、駆動部１６ｂの通電制御を常時ＯＮにしている。
【００５５】
図８（ａ）は、浄化能力レベルと電極電流量との関係の一例を示すもので、浄化能力決定部５４において、これを基に電解水散布装置Ｄの電極電流量を決定する。
【００５６】
図８（ａ）に示すように、浄化能力レベルと電極電流量とが関連付けられている。図８（ａ）の例では、決定すべき電極電流として、電極部材に流す電流（電極電流）の大きさを規定している。電極電流を１から３の３段階で示しており、浄化能力レベルが高いほど、電極電流が大きくなるように設定される。電極部材に流れる電流がその決定された電流となるように電極部材に印加する電圧を制御すれば、通電時間における電極電流量が定まる。通電時間における電極電流量を大きくすれば、より多くの量の活性酸素種を含む電解水が生成される。さらに、吹出口６から吹き出される空気に含まれる活性酸素種の量も多くなるため、多くのウイルスを不活性化できる。
【００５７】
図８（ｂ）は、浄化能力レベルと通電時間との関係の一例を示すもので、浄化能力決定部５４において、これを基に電解水散布装置Ｄの通電時間を決定する。
【００５８】
図８（ｂ）に示すように、浄化能力レベルと通電時間とが関連付けられている。図８（ｂ）の例では、通電時間を１から３の３段階で示しており、浄化能力レベルが高いほど、通電時間が長くなるように設定される。通電時間が長くなれば、より多くの量の活性酸素種を含む電解水が生成される。さらに、吹出口６から吹き出される空気に含まれる活性酸素種の量も多くなるため、多くのウイルスを不活性化できる。
【００５９】
図８（ｃ）は、浄化能力レベルと非通電時間との関係の一例を示すもので、浄化能力決定部５４において、これを基に電解水散布装置Ｄの通電時間を決定する。
【００６０】
図８（ｃ）に示すように、浄化能力レベルと非通電時間とが関連付けられている。図８（ｃ）の例では、非通電時間を１から３の３段階で示しており、浄化能力レベルが高いほど、非通電時間が短くなるように設定される。非通電時間が短くなれば、電解水を生成する一周期での通電時間が長くなり、一周期当たり、より多くの量の活性酸素種を含む電解水が生成される。さらに、吹出口６から吹き出される空気に含まれる活性酸素種の量も多くなるため、多くのウイルスを不活性化できる。
【００６１】
図８（ｄ）は、浄化能力レベルと風量及び電解水生成条件との関係の一例を示すもので、浄化能力決定部５４において、これを基に電解水散布装置Ｄの風量及び電解水生成条件を決定する。
【００６２】
図８（ｄ）に示すように、浄化能力レベルと電解水生成条件とが関連付けられている。図８（ｄ）の例では、決定すべき電解水生成条件として、電解水を生成する一周期における通電時間及び非通電時間と、その通電時間における電極電流量を規定しいている。電解水生成条件を１から３の３段階で示しており、浄化能力レベルが高いほど、電解水を生成する一周期当たり、より多くの量の活性酸素種を含む電解水が生成されるように設定される。
【００６３】
また、図８（ｄ）では、図８（ａ）から図８（ｃ）を全て組み合わせた関係となっているが、複数個を組み合わせた関係であってもよい。
【００６４】
電極電流量は、通電中であれば都度変更する。一方、非通電中であれば、次回通電時から変更される。
【００６５】
通電時間は、通電中であれば、現状の通電時間と変更後の通電時間を比較し、通電を続けるか、通電を終了し非通電へ切換えるかが決定される。一方、非通電中あれば、次回通電時から変更される。
【００６６】
非通電時間は、非通電中であれば、現状の非通電時間と変更後の非通電時間を比較し、非通電を続けるか、非通電を終了し通電へ切換えるかが決定される。一方、通電中であれば、次回非通電時から変更される。
【００６７】
以上説明したように、第１実施形態における電解水散布装置Ｄでは、湿度検出手段５１の値に基づいて、電解水を生成する一周期における電解部１７への通電時間、その通電後の非通電時間、及び通電時間における電流量、及び駆動部１６ｂの停止時間が決定される。
【００６８】
これにより、湿度が高い場合に、電解水散布装置Ｄの浄化能力を上げつつ、気液接触量は下がることになり、加湿量を増加させることなく、活性酸素種の濃度を増加させることができる。
【００６９】
また、本実施形態の電解水散布装置Ｄは、電解水の生成条件として、通電時間、非通電時間及び電力量を決定している。これにより、湿度に応じて、電解水に含まれる活性酸素種の量を増やしたい場合は、通電時間を長くしたり、非通電時間を短くしたり、電力量を大きくしたりすることで、生成される活性酸素種の量を容易に調整できる。
【００７０】
また、本実施の形態の電解水散布装置Ｄは、気液接触量を下げる方法として、駆動部１６ｂをＯＮ／ＯＦＦ制御としている。これにより、回転数を変更する場合よりも簡易な構成で気液接触量を調整できる。
【００７１】
（第２実施形態）
次いで、図９、１０を参照して、本発明の第２実施形態である電解水散布装置Ｄについて説明する。第１実施形態の電解水散布装置Ｄは、湿度検出手段５１の値に基づいて、駆動部１６ｂの通電制御と浄化能力レベルが決定された。これに対して、第２実施形態の電解水散布装置Ｄは、駆動部１６ｂの通電制御に関して、常時ＯＮ以外に電解部１７の電極部材への電気分解するための通電を行う通電時間と、その通電停止後の非通電時間とを一周期としている。また、電解部１７の通電時間、非通電時間の周期に対応して、駆動部１６ｂがＯＮ／ＯＦＦ制御される期間と、常時ＯＮである期間とが組み合わされて稼働している。
【００７２】
以下、第２実施形態の電解水散布装置Ｄについて、第１実施形態の電解水散布装置Ｄと相違する点を中心に説明する。第１実施形態の電解水散布装置Ｄと同一の構成については、同一の符号を付し説明を省略する。
【００７３】
図９（ａ）は、横軸を時間、縦軸を電極部材への通電電流として、電解部１７の電極部材への通電時間Ｔｏｎと非通電時間Ｔｏｆｆとからなる通電周期Ｔを示す。図９（ｂ）は、横軸を時間軸、縦軸を電解水中の活性酸素種の濃度として、貯水部１４に貯水される電解水中の活性酸素種の濃度を示す。図９（ｃ）は、横軸を時間軸、縦軸を駆動部１６ｂへの通電電流として、駆動部１６ｂへのＯＮ／ＯＦＦ制御期間と常時ＯＮ期間との関係を示す。図９（ａ）と図９（ｂ）が示すとおり、電解部１７への通電時間Ｔｏｎの期間は、新しく電解水、つまり活性酸素種が生成されるため、貯水部１４に貯水される電解水中の活性酸素種の濃度は高くなる。一方、電解部１７への非通電時間Ｔｏｆｆの期間は、新しく電解水が生成されず、気液接触により減少した分、タンク１５ａから給水され、貯水部１４に貯水される電解水の濃度は低くなる。図９（ｂ）における閾値、例えば、貯水部１４に貯水された活性酸素種の濃度の平均値に対して、貯水部１４に貯水された活性酸素種の濃度が超えている期間に、駆動部１６ｂをＯＮ／ＯＦＦ制御し、活性酸素種の濃度の平均値を下回る期間を常時ＯＮとする。具体的には、電解部１７への通電開始から前記閾値を超えるまでの期間をｔ１とし、電解部１７への通電終了から前記閾値を下回るまでの期間をｔ２とすると、電解部１７への通電開始のｔ１後に、駆動部１６ｂのＯＮ／ＯＦＦ制御を開始し、電解部１７への通電停止のｔ２後に駆動部１６ｂのＯＮ／ＯＦＦ制御を停止し、常時ＯＮとする。
【００７４】
図１０は、湿度と駆動部の通電制御と浄化能力レベルとの関係の一例を示すもので、浄化能力決定部５４において、これを基に電解水散布装置Ｄの駆動部１６ｂの停止時間と浄化能力レベルを決定する。
【００７５】
図１０の例では、浄化能力レベルをＬＶ１〜ＬＶ３の３段階で示しており、湿度が高いほど、浄化能力レベルが高くなるように設定される。さらに、気液接触量を下げるために、駆動部１６ｂの通電制御をＯＮ／ＯＦＦ制御にしており、湿度が高いほど駆動部１６ｂの停止時間が長くなるように設定される。これにより、湿度が高い場合に、浄化能力を上げつつ、気液接触量は下がることになり、加湿量を増加させることなく、活性酸素種の濃度を増加させることができる。
【００７６】
図１０の例では、フィルター部１６の回転を６回転／分、つまり１０秒／回転とし、ＯＮ／ＯＦＦ制御のＯＮ時間をフィルター部１６が一回転する毎に停止するように構成した。これにより、気液接触フィルター部１６ａでの保水が確実にでき、活性酸素種の量を十分散布できる。
【００７７】
以上説明したように、第２実施形態における電解水散布装置Ｄでは、湿度検出手段５１の値に基づいて、電解水を生成する一周期における電解部１７への通電時間、その通電後の非通電時間、及び通電時間における電極電流量、及び駆動部１６ｂの通電制御が決定される。
【００７８】
これにより、湿度が高い場合に、電解水散布装置Ｄの浄化能力を上げつつ、電解水中の活性酸素種の濃度が高い期間での気液接触量は下がることになり、加湿量を増加させることなく、活性酸素種の濃度を増加させることができる。
【００７９】
なお、送風部７による風量が所定値未満の時は、上記制御を行わない構成としてもよい。具体的には、風量設定が強、中、弱とある場合、弱設定時のみ上記制御を行わない構成とする。これにより、加湿量を増加させる効果が小さい風量設定時は、駆動部１６ｂの通電制御を常時ＯＮすることになり、活性酸素種の濃度を増加させることができる。
【００８０】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、上記各実施形態で挙げた数値は一例であり、他の数値を採用することは当然可能である。
【産業上の利用可能性】
【００８１】
本発明に係る電解水散布装置は、空気中の細菌、真菌、ウイルス、臭い等の除去（不活性化を含む）を行う電解水散布装置として有用である。
【符号の説明】
【００８２】
Ｄ    電解水散布装置
１    本体ケース
１Ａ    第１の本体側面
２    吸気口
３    パネル
４    開口
５    電解水生成部
６    吹出口
７    送風部
８    風路
９    モータ部
９ａ    回転軸
１０    ファン部
１１    ケーシング部
１２    吐出口
１３    吸込口
１４    貯水部
１４ａ    タンク保持部
１５    タンク部材
１５ａ    タンク
１５ｂ    蓋
１６    フィルター部
１６ａ    気液接触フィルター部
１６ｂ    駆動部
１７    電解部
１８    電解促進錠剤投入部
１８ａ    錠剤投入ケース
１８ｂ    錠剤投入カバー
１９    散布部
３０    制御部
３４    生成制御部
４１    投入制御部
５１    湿度検出手段
５４    浄化能力決定部
【図１】
2020048855.tif 000003
【図２】
2020048855.tif 000004
【図３】
2020048855.tif 000005
【図４】
2020048855.tif 000006
【図５】
2020048855.tif 000007
【図６】
2020048855.tif 000008
【図７】
2020048855.tif 000009
【図８】
2020048855.tif 000010
【図９】
2020048855.tif 000011
【図１０】
2020048855.tif 000012